(57)【要約】【課題】定着温度を変更する場合、降温時と昇温時の温度変化の特徴に合わせた適切な判定を行うことができない。【解決手段】画像データの各ページのトナー載量を、画像データに設定された属性に基づいて予想し、予想されたトナー載量情報から定着処理の予定温度を決定する。また、画像データの各ページのトナー載量を、画像データを展開したデータに基づいて確定する。確定されたトナー載量情報から定着処理の確定温度を決定する。定着手段の温度と、確定温度とを比較し、定着変更をする場合、判定された制御が温度変化速度の高い制御のときは、判定された制御を実行し、判定された制御が温度変化速度の低い制御のときは、ページ数分の画像データに対して決定された予定温度に基づいて、定着温度を変更するか否かを判定する。【選択図】図１０
2014056036.tif 000002
【特許請求の範囲】
【請求項１】
電子写真方式により形成されたトナー画像を記録媒体上に熱定着する定着手段を備え、該定着手段は、異なる温度変化速度を有する昇温制御または降温制御により定着温度を制御する画像形成装置であって、
画像データの各ページのトナー載量を、該画像データに設定された属性に基づいて予想し、前記予想されたトナー載量情報から定着処理の予定温度を決定し、記憶手段に格納する予定温度決定手段と、
画像データの各ページのトナー載量を、該画像データを展開したデータに基づいて確定し、前記確定されたトナー載量情報から定着処理の確定温度を決定する確定温度決定手段と、
前記定着手段の温度と、前記確定温度決定手段により決定された確定温度とを比較し、定着温度を変更するか否かを判定し、変更をする場合、当該判定された制御が温度変化速度の高い制御のときは、当該判定された制御を実行し、当該判定された制御が温度変化速度の低い制御のときは、予め決められた先読ページ数分の画像データに対して決定された予定温度を前記記憶手段から取得し、前記確定温度決定手段により決定された確定温度と、前記取得した先読ページ数分の画像データに対して決定された予定温度とに基づいて、定着温度を変更するか否かを判定し、判定された制御を実行する制御手段と
を備えたことを特徴とする画像形成装置。
【請求項２】
前記予定温度決定手段は、印刷処理実行時に設定されている色処理モード設定値からトナー載量を予想することを特徴とする請求項１に記載の画像形成装置。
【請求項３】
前記予定温度決定手段は、画像形成を実行時に設定されている原稿タイプモード設定値からトナー載量を予想することを特徴とする請求項１に記載の画像形成装置。
【請求項４】
前記予定温度決定手段は、画像形成を実行時に設定されている濃度調整モード設定値からトナー載量を予想することを特徴とする請求項１に記載の画像形成装置。
【請求項５】
前記確定温度決定手段は、ラスタライズ画像を解析し各画素値からトナー載量を確定することを特徴とする請求項１に記載の画像形成装置。
【請求項６】
前記予定温度決定手段は、複数の定着温度で温度制御が可能であり、各定着温度に対応するトナー載量の最大値を参照するルックアップテーブルを参照して得られたトナー載量の最大値から前記予定温度を決定することを特徴とする請求項１に記載の画像形成装置。
【請求項７】
前記制御手段は、前記温度変化速度の低い制御が降温制御であるとき、前記先読ページに１つでも予め定めた閾値よりも高温に決定された予定温度であって、予め確定温度と定められたページがあるときは前記降温制御を実行しないことを特徴とする請求項１に記載の画像形成装置。
【請求項８】
前記制御手段は、前記温度変化速度の低い制御が降温制御であるとき、前記先読ページに予め定めた閾値よりも高温に決定された予定温度のページがあっても降温制御を実行することを特徴とする請求項１に記載の画像形成装置。
【請求項９】
複数の画像データを含む印刷データの各々の画像データについて電子写真方式により形成されたトナー画像を記録媒体上に熱定着する定着手段を備える画像形成装置であって、
印刷処理の際の前記印刷データに含まれる画像データの全体に対して設定された画像処理モードの設定からトナー載量を予想する第１のトナー載量予想手段と、
前記印刷データに含まれる各画像データに設定されている画像処理情報からトナー載量を予想する第２のトナー載量予想手段と、
前記第１のトナー載量予想手段で使用された画像処理モードの設定が、予想されるトナー載量が最終的に確定された値であると予め定められている設定でないとき、さらに第２のトナー載量予想手段を用いて予想されたトナー載量に基づいて、前記定着手段の温度制御を制御手段と
を備えたことを特徴とする画像形成装置。
【請求項１０】
前記第２のトナー載量予想手段は、前記印刷データに含まれる各画像データに付加されている色処理設定値からトナー載量を予想することを特徴とする請求項９に記載の画像形成装置。
【請求項１１】
前記第２のトナー載量予想手段は、前記印刷データに含まれる各画像データに付加されている原稿タイプ設定値からトナー載量を予想することを特徴とする請求項９に記載の画像形成装置。
【請求項１２】
前記第２のトナー載量予想手段は、前記印刷データに含まれる各画像データに付加されている濃度調整設定値からトナー載量を予想することを特徴とする請求項９に記載の画像形成装置。
【請求項１３】
形成されたトナー画像を記録媒体上に定着する定着手段の定着温度を制御する画像形成方法であって、
画像データの各ページのトナー載量を、該画像データに設定された属性に基づいて予想し、前記予想されたトナー載量情報から定着処理の予定温度を決定し、記憶手段に格納する予定温度決定ステップと、
画像データの各ページのトナー載量を、該画像データを展開したデータに基づいて確定し、前記確定されたトナー載量情報から定着処理の確定温度を決定する確定温度決定ステップと、
前記定着手段の予定温度と、前記確定温度決定ステップにおいて決定された確定温度とを比較し、定着温度を変更するか否かを判定し、変更をする場合、当該判定された制御が温度変化速度の高い制御のときは、当該判定された制御を実行し、当該判定された制御が温度変化速度の低い制御のときは、予め決められた先読ページ数分の画像データに対して決定された予定温度を前記記憶手段から取得し、前記確定温度決定ステップにおいて決定された確定温度と、前記取得した先読ページ数分の画像データに対して決定された予定温度とに基づいて、定着温度を変更するか否かを判定し、判定された制御を実行する制御手段と
を備えた、ことを特徴とする画像形成方法。
【請求項１４】
形成された画像を記録媒体上に定着する定着手段の定着温度を制御する画像形成装置であって、
画像データの各ページに設定されている印刷モードと前記各ページのトナー載り量とに応じて、各ページの定着温度を決定する決定手段と、
前記決定された定着温度を用いて定着手段の定着温度制御を行う制御手段とを有することを特徴とする画像形成装置。
【請求項１５】
形成された画像を記録媒体上に定着する定着手段の定着温度を制御する画像形成装置であって、
複数ページからなる印刷ジョブに含まれるＮページ目の（Ｎは自然数）のトナー載り量から求めたＮページ目の定着温度と、前記印刷ジョブに設定された印刷モードに対応する（Ｎ＋１）ページ目以降の定着温度とから、（Ｎ＋１）ページ目以降のページに対して定着温度制御を行う制御手段とを有することを特徴とする画像形成装置。
【発明の詳細な説明】
【技術分野】
【０００１】
本発明は、形成されたトナー画像を転写紙上に熱定着する画像形成装置および方法に関する。
【背景技術】
【０００２】
通常、電子写真方式により形成されたトナー画像を転写紙上に熱定着する画像形成装置においては、転写紙上に載せる単位面積当たりのトナー量に応じて、定着装置での定着温度を最適に変更する。すなわち、一般にトナー量が多いほど定着に必要な温度が高くなるので、通常は単位面積当たりのトナー量の最大値を予め決めておき、その最大値を持つ画像を確実に定着することが可能な定着温度となるよう温度調整を行う。
【０００３】
ここで、フルカラー複写機では、ＣＭＹＫ（シアン、マゼンダ、イエロー、ブラック）等の複数の色材を重ねて画像形成を行うため、転写紙上に載せる色材量（以下、トナー載量と呼ぶ）がフルカラー以外の複写機に比べ多くなる傾向にある。したがって、多くなったトナー裁量に対応するため定着ローラの熱容量を大きくすることから、電源投入後やスリープ解除後など、定着装置が所定設定温度より低い状態の場合、定められた設定温度に上昇するまでの定着ウォームアップは長くなる。その結果、すぐに印刷を開始することができず、印刷開始までの一定の待ち時間が発生する。また、トナー載量の最大値を大きく下回るような画像、例えばＫの色材のみを使うモノクロモードによる画像の出力時には過剰な加熱を行うこことなり、不要な電力を消費することとなる。
【０００４】
不要な電力の削減のため従来、定着対象ページのトナー載量を予め判定予想し、トナー載量の最大値を大きく下回ると判定された場合は定着温度を引き下げる方法がが提案されている。
【０００５】
特許文献１では、画像形成装置に設定されている画像処理モードや、画像に施される中間調処理方式の持つ濃度変換処理の特性から適切な定着温度を判定し、これに応じて定着器の加熱制御を行うという手法が提案されている。このような従来技術においては、定着対象ページの定着温度を判定する際、例えばその印刷処理で設定されている画像処理のモードから出力時の最大トナー載量を予想し、この予想値を基に判定している。例えば、画像処理モードが「カラーモード」であれば、対象ページの出力時最大トナー載量は“２００％（多い）”、「モノクロモード」であれば“１００％（少ない）”と判定する。また、「文字モード」であれば濃度変換処理時の同一入力信号に対するターゲット濃度が高いので同じくトナー載量も“多い”、「写真モード」であればターゲット濃度は低いのでトナー裁量も”少ない“と判定する。このようにして、予想したトナー裁量に応じた定着温度を判定するが、あくまで画像処理モードから最大トナー載量を予想するものであって、実際のトナー載量あるいは画像を基に算出された予想トナー裁量を判定根拠としていない。このため、予想の精度は高くないが、制御動作の早い段階で定着温度の判定ができるという利点がある。
【０００６】
また、特許文献２では、入力データをラスタライズした後のＲＩＰ後画像の画像解析を行い、各画素の濃度値の分布率と画像面積との関係から画像の最大トナー載量を予想し、それに応じて定着温度を制御している。この方法は、ラスタライズ後画像の実際の画素値を解析した結果に基づいてトナー載り量を予想するため、印刷動作の後半、通常は最終段である定着動作実行直前等で定着温度が判定され、温度の制御開始が遅くなるが、予想自体の精度は高いという利点がある。
【０００７】
一方、定着温度を変更する場合、高温状態から低温状態に移行する降温制御と、低温状態から高温状態に移行する昇温制御とでは制御が異なる。すなわち、通常、降温制御では、温度変化に時間がかかる（温度変化速度が遅い）ため、早い段階で制御動作の開始が必要である。昇温制御では、温度変化に時間がかからないため、制御動作開始を遅くすることが可能である。さらに、一般的に高温状態からの制御では、対象画像のトナー載量が少ないと判定されたが実際は多かった場合でも、定着温度が急激に低くなることは少ないから画像不良などの問題は起こりにくい。しかし、低温状態からの制御で、実際は対象画像のトナー載量が多いにもかかわらず、少ないと誤判定すると昇温に時間がかかるため定着不良などが発生する可能性が高く正確な予想が必要である。
【先行技術文献】
【特許文献】
【０００８】
【特許文献１】特開２００５−２５０３３０号公報
【特許文献２】特開２０００−２２１８３１号公報
【発明の概要】
【発明が解決しようとする課題】
【０００９】
しかしながら、上述のように降温制御および昇温制御、あるいは低温状態からの制御および高温状態からの制御によって、温度の制御特性が異なるにもかかわらず従来技術では考慮されていない。すなわち、上述の特許文献１の手法も、特許文献２の手法も、制御特性の相違を考慮せずに、いずれの制御特性にある制御時にも一律同じ手法を用いて行うため、各々の手法の利点の効果が限られるという問題がある。具体的には、特許文献１の手法を用いた場合、トナー載量の予想は実際の画像に基づいたものではないので、トナー載量を少なく誤判定した場合の定着不良等を考慮し、本来低温制御とすべき場合も高温制御とせざるを得ないこともある。また、特許文献２の手法を用いた場合、判定精度が高くても、印刷動作の早い段階で判定できないことから、例えば降温制御するときに定着動作の直前に処理を開始するので十分低温に移行できず消費電力削減の効果が少ない。
【課題を解決するための手段】
【００１０】
本願の画像形成装置は、電子写真方式により形成されたトナー画像を記録媒体上に熱定着する定着手段を備え、定着手段は、異なる温度変化速度を有する昇温制御または降温制御により定着温度を制御する画像形成装置であって、画像データの各ページのトナー載量を、画像データに設定された属性に基づいて予想し、予想されたトナー載量情報から定着処理の予定温度を決定し、記憶手段に格納する予定温度決定手段と、画像データの各ページのトナー載量を、画像データを展開したデータに基づいて確定し、確定されたトナー載量情報から定着処理の確定温度を決定する確定温度決定手段と、定着手段の温度と、確定温度決定手段により決定された確定温度とを比較し、定着温度を変更するか否かを判定し、変更をする場合、判定された制御が温度変化速度の高い制御のときは、判定された制御を実行し、判定された制御が温度変化速度の低い制御のときは、予め決められた先読ページ数分の画像データに対して決定された予定温度を記憶手段から取得し、確定温度決定手段により決定された確定温度と、取得した先読ページ数分の画像データに対して決定された予定温度とに基づいて、定着温度を変更するか否かを判定し、判定された制御を実行する制御手段とを備えたことを特徴とする。
【発明の効果】
【００１１】
本発明によれば、各ページのトナー載り量と各ページに設定された印刷モードの双方から定着温度を決定することで、定着対象ページの定着前に前もって定着温度を制御することができ、かつ、定着装置の定着温度の切り替えの回数を少なくすることができる。
【図面の簡単な説明】
【００１２】
【図１】本発明の実施形態に係る画像形成装置の概略構成を示すブロック図である。
【図２】本発明の実施形態に係る画像形成装置の概観図である。
【図３】本発明の実施形態に係るモジュール構成を示す図である。
【図４】本発明の実施形態に係るモジュールの制御の流れを示す図である。
【図５】本発明の実施形態に係る各判定処理を説明するイメージ図である。
【図６】本発明の実施形態に係る各判定処理を説明するイメージ図である。
【図７】本発明の実施形態に係る各印刷ページのイメージ図である。
【図８】本発明の実施形態に係る画像形成装置の詳細構成を示すブロック図である。
【図９】従来技術による定着温度遷移の概念を示す図である。
【図１０】本発明の実施形態に係る、印刷動作中の１つのタイミングにおける“定着温度遷移”を示す図である。
【図１１】本発明の実施形態に係る、図１０で示すタイミングの次のページにおける定着温度遷移を示す図である。
【図１２】本発明の実施形態１に係る処理の流れを示すメインフロー図である。
【図１３】本発明の実施形態１に係るトナー載量予想処理の流れを示すフロー図である。
【図１４】本発明の実施形態１に係る予定定着温度決定処理の流れを示すフロー図である。
【図１５】本発明の実施形態１に係る予定定着温度決定処理の流れを示すフロー図である。
【図１６】本発明の実施形態１に係る予定定着温度保持処理の流れを示すフロー図である。
【図１７】本発明の実施形態１に係るトナー載量確定処理の流れを示すフロー図である。
【図１８】本発明の実施形態２に係る処理の流れを示すフロー図である。
【発明を実施するための形態】
【００１３】
［実施例１］
図１および図８は本実施例の電子写真方式によりトナー画像を形成する画像形成装置の構成を示すハードブロック図である。図１に示すように、画像形成装置は、画像読取部１０１、画像処理部１０２、記憶部１０３、ＣＰＵ１０４および画像出力部１０５を備える。なお、画像形成装置は、画像データを管理するサーバ、プリントの実行を指示する不図示のパーソナルコンピュータ（ＰＣ）などにネットワークなどを介して接続可能である。
【００１４】
画像読取部１０１は、原稿の画像を読み取り、画像データを出力する。画像処理部１０２は、画像読取部１０１や、外部から入力される画像データを含む印刷情報を中間情報（以下「オブジェクト」と呼ぶ）に変換し、記憶部１０３のオブジェクトバッファに格納する。さらに、格納したオブジェクトに基づきビットマップデータを生成し、記憶部１０３のバッファに格納する。その際、色変換処理や、画像調整処理、トナー総量制御処理等を行うが、詳細は後述する。
【００１５】
記憶部１０３は、ＲＯＭ、ＲＡＭ、ハードディスク（ＨＤ）などを含む。ＲＯＭは、ＣＰＵ１０４が実行する各種の制御プログラムや画像処理プログラムを格納する。ＲＡＭは、ＣＰＵ１０４がデータや各種情報を格納する参照領域や作業領域として用いられる。また、ＲＡＭとＨＤは、上記のオブジェクトバッファや後述の定着温度設定値の記憶などに用いられる。
【００１６】
このＲＡＭとＨＤ上で画像データを蓄積し、ページのソートや、ソートされた複数ページにわたる原稿を蓄積し、複数部のプリント出力を行うことができる。
【００１７】
画像出力部１０５は、記録紙などの記録媒体にカラー画像を形成して出力する。さらに詳細には図８を参照して説明する。
【００１８】
図８は、図１の画像形成装置の詳細構成を示すブロック図である。原稿読取部６００は画像読取部１０１であり、画像出力部６０５は画像出力部１０５であり、CPU６０８はCPU１０４である。また、プログラムＲＯＭ６０６、データＲＯＭ６０７、ＲＡＭ６０９、内部記憶領域部（ＨＤ）６０３は、記憶部１０３である。原稿読取部６００で読み込まれた画像データは、データ処理・制御部６０２へ入力部Ｉ／Ｆ６１０を介して送られる。送られたデータは、プログラムＲＯＭ６０６に格納されたデータ処理プログラムをＣＰＵ６０８が起動し、データＲＯＭ６０７に格納される処理用データを使いながらＲＡＭ６０９上で処理される。処理中または処理後の画像データは、必要に応じて記憶部Ｉ／Ｆ６１４を介して内部記憶領域部６０３に格納される。処理の終了した画像データは、出力部Ｉ／Ｆ６１２を介して、データ送受信部６０４または画像出力部６０５に送られる。データ送受信部６０４に送られたデータは、ネットワークを介してホストコンピュータ６１６など外部に接続された他のデータ処理装置に送られる。画像出力部６０５に送られたデータは、画像形成装置が備えるプリントエンジンから紙などの記録媒体上に印刷されて出力される。また、このデータ送受信部６０４を介して、外部のホストコンピュータ６１６から印字データを受け取る場合もある。この場合、画像形成装置はプリンタとして動作する。さらに、ＵＳＢメモリなどの可搬型外部記憶領域６１７を、記憶部Ｉ／Ｆ６１４に装着して、データを直接入力する場合もある。
【００１９】
これら一連の印字データ及び画像データ処理を実行する際の動作環境は、環境設定部（パネル）６０１を介してユーザーにより設定され、設定内容に従って、設定部Ｉ／Ｆ６１１によりデータ処理・制御部６０２の動作設定が行われる。
【００２０】
［装置概観］
図２は本実施例の画像形成装置の概観図である。画像読取部１０１において、原稿台ガラス２０３および原稿圧板２０２の間に画像を読み取るべき原稿２０４が置かれ、ランプ２０５の光を照射される。原稿２０４から反射された反射光は、ミラー２０６および２０７に導かれ、レンズ２０８によってカラーラインセンサとしての３ラインセンサ２１０上に像が結ばれる。なお、レンズ２０８には赤外カットフィルタ２３１が設けられているが、これに限られない。図示しないモータにより、ミラー２０６とランプ２０５を含むミラーユニットを速度Ｖで、ミラー２０７を含むミラーユニットを速度Ｖ／２で矢印の方向に移動する。つまり、３ラインセンサ２１０の電気的走査方向（主走査方向）に対して垂直方向（副走査方向）にミラーユニットが移動し、原稿２０４の全面を走査する。
【００２１】
３ラインのＣＣＤからなる３ラインセンサ２１０は、入力される光情報を色分解して、フルカラー情報としてレッドＲ、グリーンＧおよびブルーＢの各色成分を読み取り、その色成分信号を信号処理部１０２へ送る。なお、本実施例では３ラインセンサ２１０を構成するＣＣＤはそれぞれ５０００画素分の受光素子を有し、原稿台ガラス２０３に載置可能な原稿の最大サイズであるＡ３サイズの原稿の短手方向（２９７ｍｍ）を６００ｄｐｉの解像度で読み取ることができる。標準白色板２１１は、３ラインセンサ２１０の各ＣＣＤ  ２１０−１から２１０−３によって読み取ったデータを補正するためのものである。標準白色板２１１は、可視光でほぼ均一の反射特性を示す白色である。
【００２２】
画像処理部１０２は、３ラインセンサ２１０から入力される画像信号を電気的に処理して、シアンＣ、マゼンタＭ、イエローＹおよびブラックＫの各色成分信号を生成し、生成したＣＭＹＫの色成分信号を画像出力部１０５に送る。このとき出力される画像はディザなどのハーフトーン処理が行われたＣＭＹＫの画像となっている。画像出力部１０５において、画像読取部１０１から送られてくるＣ、Ｍ、ＹまたはＫの画像信号はレーザドライバ２１２へ送られる。レーザドライバ２１２は、入力される画像信号に応じて半導体レーザ素子２１３を変調駆動する。半導体レーザ素子２１３から出力されるレーザビームは、ポリゴンミラー２１４、ｆ−θレンズ２１５およびミラー２１６を介して感光ドラム２１７を走査し、感光ドラム２１７上に静電潜像を形成する。
【００２３】
本実施例の現像器は、マゼンタ現像器２１９、シアン現像器２２０、イエロー現像器２２１およびブラック現像器２２２の４つの各色用現像器から構成される。４つの現像器が交互に感光ドラム２１７に接することで、感光ドラム２１７上に形成された静電潜像を対応する色のトナーで現像してトナー像を形成する。記録紙カセット２２５から供給される記録紙は、転写ドラム２２３に巻き付けられ、感光ドラム２１７上のトナー像が記録紙に転写される。
【００２４】
このようにしてＣ、Ｍ、ＹおよびＫの４色のトナー像が順次転写された記録紙は、定着ユニット２２６を通過することで、トナー像が熱定着された後、装置外へ排出される。この定着ユニットは内部の加圧ローラからの圧力と熱を転写された記録紙に与えることによりＣ、Ｍ、Ｙ、Ｋの４色のトナー像を記録紙に定着させる。この時の熱量がトナー載量に対して不十分であると定着不良を起こし正常な画像が得られないため、この定着ユニットには不図示の温度センサが取り付けられており、定着に十分な温度になっていることが確認されて初めて定着動作が行われるよう制御する。この温度制御はＣＰＵ１０４にて温度センサ情報とトナー載量の関係とに基づいて実行される。
【００２５】
次に前述のトナー載量に関係する印刷モードと、定着ユニットが動作するために必要な温度（以下、定着温度）及び処理速度（以下、定着速度）との関係に関して説明する。本実施例で、トナー載量とは画像上の単位面積当たりトナーが付与された量を意味し、単位を％として説明する。具体的にはＣ、Ｍ、Ｙ、Ｋの各色の最大値を１００％とした時に、例えばその最大値を２色重ねた場合に２００％のトナー載量となる。各色は階調性を持っているため各色のトナー載量は０〜１００％までの間の値を取り得る。
【００２６】
一般に、トナー載量は印刷された画像の品質に影響を与えるため、印刷のモード指定に応じて十分な品質となるためには、一定のトナー載量が必要となる。例えば、フルカラー印刷モードはＣＭＹＫの４色のトナーをフルに利用したモードで任意の色を再現する、高品質なカラー印刷を行うモードである。一般的にはフルカラー印刷の時の最大トナー載量は２４０％ほどが確保されれば高品位な画質を得ることが可能である。
【００２７】
またＵＣＲ印刷モードは、前述のフルカラー印刷でＣ、Ｍ、Ｙの３色で作られる黒またはグレーをＫ単色に置き換え、文字や細線のトナー飛び散り等を押さえ文字の可読性を高める処理である。ＵＣＲ印刷では、ＣＭＹをＫに置き換えることで最大トナー載量は減らすことができ、この時の最大トナー載量は１８０％程度で十分となる。
【００２８】
また省トナー印刷モードは、前述のフルカラー印刷よりも画像全体の濃度を落とすことで使用するトナーを減らしトナー載量を少なくするモードである。省トナー印刷では、例えばトナーの使用量をフルカラーの半分に設定することができ、この場合トナー載量の最大値は半分の１２０％、または２色分２００％の４分の１を削減して１５０％等とすることができる。
【００２９】
最後に単色印刷モードは、モノクロ印刷に代表される１色のトナーのみを使った処理であり、その場合のトナー載量の最大値は１色の最大値である１００％になる。
【００３０】
このように画像の色をどのように処理するか、すなわち印刷のモード指定により最大トナー載量が異なるため、印刷のモードごとに必要とされる定着ユニットの温度は異なる。一般に、定着時の定着速度が一定の場合、最大トナー載量が高いほど必要な定着温度は高くなる。なお、画像中の最大トナー載量を予想する手法としては、上述した印刷モードにより予想するものが一般的である。以下、図３〜７、９〜１６を参照して、本実施例を詳細に説明する。
【００３１】
［モジュール構成］
図３および図４は、本実施例にかかる画像形成装置が備えるモジュール構成を示す図である。以降に示す処理は、図８のＣＰＵ６０８に相当するＣＰＵ３０７が、プログラムＲＯＭ６０６やデータＲＯＭ６０７に相当する記憶部３０８から読み出したプログラムやデータを用いてデータ処理・制御部６０２において実行するものである。以下、他の実施例でも同様である。図８のデータ送受信部６０４に相当するデータ入力部３０３で入力の印刷データを受け取り、同じくデータ処理・制御部６０２に含まれる画像処理部内のデータ処理部３０４においてページ記述言語（以下、ＰＤＬ）として解析し展開する。そして、画像形成部３０５でラスタライズ画像を生成する。生成した画像はビデオ信号に変換し画像出力部３０６に出力する。この時、データ入力部３０３〜画像形成部３０５は、ホストＰＣ３０１が備えていてもよいし、画像形成装置３０２が備えていてもよい。
【００３２】
本実施例では、図４に示すように、データ入力時にジョブ中の各ページ共通のトナー量を、印刷動作実行時に設定されている画像処理モードにより予想するトナー載量予想部（１）３１１を備える。さらに、ジョブ及びページ解析時にページ毎のトナー量を予想するトナー載量予想部（２）３１２を備えることも可能である。トナー載量予想部３１１を、第１のトナー載量予想部、トナー載量予想部３１２を第２のトナー載量予想部と呼ぶこともできる。また、各ページのトナー量を確定するトナー載量確定部３１３を画像形成部３０５の後に備え、さらに上記情報から対象ページの定着温度を確定する定着温度確定部３１４と、確定した温度に従い定着器を制御する定着温度制御部３１５を備える。ここで、画像処理モードには、色処理モード設定値、原稿タイプモード設定値、濃度調整モード設定値などが含まれる。
【００３３】
［判定フロー］
図５を参照して、上述したトナー載量予想部３１１、３１２・確定部３１３を用いて定着温度を決定する処理流れを説明する。ここでは、トナー載量予想部（１）３１１で行う予想と、トナー載量確定部３１３で行う判定の例を説明する。本実施例では、トナー載量に予め閾値を定めておき、閾値を超えると一定の高温で定着動作を実行し、閾値以下では一定の低温で定着動作を実行する。ここでは、この閾値をトナー載量が１６０％とする。
【００３４】
図５を参照すると、画像処理モード４０１によるトナー載量予想による手法の場合は、定着温度の判定タイミングが早いが、定着温度の判定精度は低い。一方、ラスタ画像の画素値からトナー載量を予想する手法の場合は、判定タイミングは遅いが、判定精度は高い。すなわち、画像処理モードは、図８に示す環境設定部（以下、パネル）６０１や、ホストコンピュータ６１６上のユーザインターフェイス（以下、ＵＩ）が保持する情報であり、この情報により図６に示すように定着温度を判定する。具体的には、図６を参照すると、入力ジョブの全てのページをカラーで処理する“カラーモード”や、カラーか否かを自動的に判断して処理する“自動モード”の画像処理モード４０３が設定されている場合、出力はフルカラー印刷となる可能性がある。そこで予想トナー載量をこのモードでの色変換処理が定義している最大載量（例：２００％）とし、この値は閾値（１６０％）を超えるので、ジョブに含まれる全てのページに“高載量（予想値）”という情報を付加する。ここで、情報の付加方法は本技術分野で知られたいずれの方法を用いることもできる。
【００３５】
一方、“モノクロモード”の画像処理モード４０４であれば、Ｋ一色しか使用しないので、最大のトナー載量は１００％となり、閾値１６０％を下回っているので“低載量（確定値）”という情報を付加する。ここで、Ｋのみの色であれば閾値を超えることはないので“低載量”は確定値となる。“単色印刷モード”の場合も同様であり、“低載量”という情報を付加する。
【００３６】
また、“省トナー印刷モード”の画像処理モード４０５であれば、色変換処理で通常のトナー載量から削減する削減率は既知なので、最大のトナー載量を確定できる（例えば、１５０％）。
【００３７】
この段階で“低載量（確定値）”の情報が付加されたページは定着制御時に予定温度が低い“低温定着”可能と判断される。この予定温度決定手段であるトナー載量予想部（１）で“高載量（予想）”となったページは、更にトナー載量確定部３１３でＲＩＰ後ＣＭＹＫ画像の各画素値から実際のトナー載量の解析４０６を実行する。ここでページ内の最大載量を持つ画素値が１９０％であれば閾値の１６０％を超えているので、“高載量（確定値）”、１４０％であれば、本例の閾値１６０％以下だから、“低載量（確定値）”と判定する。以上の確定値は、ＲＩＰ処理後のＲＩＰ画像に付加される。
【００３８】
このように、本実施例では「トナー載量予想部」と「トナー載量確定部」を両方備え、最終的にトナー載量を判定する点が特徴である。すなわち、本実施例では、上述の２種類のトナー載量の予想手法を効果的に組み合わせて使用することにより最終的な定着温度を決定する。
【００３９】
図７を参照して、上述のように判定した定着温度を定着器に適用する印刷処理中のタイミングを説明する。図７は、画像形成装置３０２において実行される。通常、複数のページを含む印刷ジョブは、ＰＤＬデータ５０４として解析され、ＲＩＰ前に一旦記憶部５０３に蓄積保存される。この段階までに、トナー載量予想部（１）３１１あるいはトナー載量予想部（２）３１２で予想されたトナー載量情報がページ２〜ページＮ＋３の各ページに付加されている。ここで、トナー裁量情報が付加されるページの範囲はトナー載量予想部の現在実行している原稿の位置に依存する。定着対象ページ５０１の直前のページ５０２はＲＩＰ画像であるので、トナー載量確定部３１３で確定されたトナー載量情報を保持する。この２つの情報を用いて、定着対象ページ５０１をページ０として、定着動作における定着温度制御を実行する。この時、ページ１となる対象の次のページ５０２のみ確定されたトナー載量情報が付加されており、ページ２〜ページＮ＋３の画像データには予想されたトナー載量情報のみが付加されている。
【００４０】
図９では、従来技術を用いてトナー載量判定を行った場合の定着温度制御（温度遷移）を説明する。図９のグラフ(a)は、トナー載量予想部（１）３１１のみを用いた判定手法により定着温度を制御する場合の温度遷移を示すグラフである。この場合、各ページが保持するトナー載量情報は全て“予想値”であり、確定値は算出されないので定着以降も“予想値”のみ保持しているものとする。ここで、ページ７０１は定着済みであり、次に定着対象ページ７０２の定着動作をする状態とする。定着対象ページ７０２の定着動作の後は、次定着ページ７０３、次次定着ページ７０４と定着動作が実行されていくものとする。
【００４１】
ページ７０１が“高載量”の画像だったとすると、ページ７０１の定着処理終了後、次の定着対象ページ７０２の情報、及び２ページ先の次定着ページ７０３および次々定着ページ７０４までの情報を用いて定着温度を判定する。一般に、トナー載量予想部（１）３１１のみを用いた判定手法により定着温度を制御する場合、安定的に温度制御するため、低載量の画像が一定数連続するまで降温制御を行わない。本実施例では、対象ページを含む３ページ以上連続で予想値が低載量の場合のみ降温制御を開始する。図９のグラフ(a)に示す例では、定着対象ページ７０２および次々定着ページ７０４は低載量（予想）であるが次定着ページ７０３は高載量（予想）とする。このため、高い定着温度を維持するような制御を行うので、次定着ページ７０３の実際のトナー載量が高載量でない場合も降温制御には移行せず、定着温度を低温にすることができない。なお、本実施例では、連続して判断するページ数は３、すなわち先読みするページ数は２（先読ページ数分は２ページ）となる。しかし、より安定化を図る場合は、より多い数を設定することができ、その場合先読み数を予め記憶部３０８に保持しておくこともできる。
【００４２】
図９のグラフ(b)に示す例は、トナー載量確定部３１３のみを用いて定着温度を判定する場合の温度遷移を示す図である。この場合、各ページが保持するトナー載量情報は全て“確定値”であり、かつ定着対象ページのみが本情報を保持しているとする。“高載量”の定着対象ページ７０５の定着処理終了後、次の次対象ページ７０６の情報を判定に利用する。本例では、上述の例とは異なり、常に確定されたトナー載量情報のみに基づいて定着温度制御を行うものとする。
【００４３】
図９のグラフ(b)では、定着対象ページ７０６は低載量（確定）のため、高載量（確定）の定着済みページの７０５の処理終了後に温度を降下させる降温制御を開始する。しかし次対象ページ７０７は高載量（確定）であるため、降温制御終了後に高い定着温度に昇温する昇温制御を行う。さらに次々対象ページ７０８が低載量（確定）であるため、また降温制御が開始される。以上説明したようにトナー載量確定部３１３のみを用いて定着温度を判定する場合、確定された精度の高いトナー載量情報により定着温度の判定ができるが、判定がなされるのが遅いため、条件によっては頻繁に昇降制御が切り替わる。このため、安定した温度制御を実行することが困難となる。
【００４４】
図１０および図１１を参照して、本実施例を用いてトナー載量判定を行った場合の定着温度制御（温度遷移）を説明する。図１０は、トナー載量予想部（１）３１１とトナー載量確定部３１３を用いてトナー載量判定を行う場合の、定着対象ページ８０２に対する定着動作の処理開始時の状態を示す図である。この場合、定着対象ページ８０２が保持するトナー載量情報は“確定値“、次定着ページ８０３および次々定着ページ８０４はトナー載量情報の“予想値”を保持しているものとする。
【００４５】
“高載量”の定着済ページ８０１の定着処理終了後、定着対象ページ８０２の確定されたトナー載量情報、及び２ページ先（次定着ページ８０３および次々定着ページ８０４）までの情報に基づいて定着温度を判定する。この場合、定着対象ページ８０２の確定されたトナー載量情報は、“低載量”なので、図９で説明したのと同様に降温制御開始の条件として、対象ページを含む３ページが連続して低載量と予想される場合のみとする。そこで本実施例では、定着対象ページ８０２は“低載量”（確定）、次々定着８０４は“低載量”（予想）であるが、次定着ページ８０３が“高載量”（予想）である。本実施例では、処理が進み次定着ページ８０３の予想値が確定すると、“低載量”（確定）と判定される可能性もあるため、このタイミングで降温制御を開始する。
【００４６】
次に、図１１のグラフ(a)および(b)は、定着対象ページ８０２の定着処理が終了し、次定着ページ８０３の定着動作に移行した際の状態を示す図である。本実施例では、この段階でトナー載量確定部３１３が、定着対象ページ８０３のトナー載量を確定し、定着温度を確定するため、確定の内容が高載量か低載量かで制御が異なってくる。図１１のグラフ(a)は、定着対象ページ８０３がトナー載量予想部（１）３１１で高載量（予想）であり、トナー載量確定部３１３で低載量（確定）と確定された場合の遷移を示す図である。図１１のグラフ(a)に示すように、この場合は低載量と確定されたページが連続することとなるので、引き続き降温制御を行いより低い定着温度として消費電力を削減することができる。すなわち、本実施例では一度高載量と予想されても、実際には低載量と判断してもよいような場合には降温制御を続けるよう制御することが可能となる。このため、次定着ページ８０４の開始前には所定の低温度に達することが可能となる。実際に出力されるカラー印刷物は、カラー指定がなされていてもトナー載量自体は最大値に達しない画像が多数の場合も多いことから、従来技術では十分な低温に制御できない場合でも本実施例の制御により低温での定着が可能となる。
【００４７】
さらに、図１１に示すグラフ(b)は、定着対象ページ８０３がトナー載量予想部（１）３１１での判定は高載量（予想）であり、トナー載量確定部３１３での判定も同じく高載量（確定）であった場合の制御を示す図である。つまり、予想値および確定値共に高載量と判断された場合、定着済ページ８０２の定着動作の際に降温制御を開始してしまっているので、定着対象ページ８０３の定着処理開始前には昇温制御に切り替えなければならない。本実施例では一度予想したトナー載り量をトナー載量確定部３１３において再度見直すので、ぎりぎりまで降温制御を続けることができ、可能な範囲まで消費電力の削減が可能である。これは、降温制御に比べ昇温制御は比較的短期間に必要な温度まで定着温度を変化させる温度変化速度を有することが可能だからである。
【００４８】
図１２は、本実施例における処理を示すメインのフローチャートである。図３のホストＰＣ３０１（図８のホストコンピュータ６１６に対応）などから入力された印刷データジョブ（入力データ）を、データ入力部３０３（図８ではデータ送受信部６０４に対応）が受け取る。印刷データジョブは、複数ページからなら印刷ジョブである。ここで、図４のトナー載量予想部（１）３１１を起動し、この入力データに対してＳ１００１で、図８に示す環境設定部６０１によって設定されている画像処理モードの設定値から、トナー載量予想値ＤＥを決定する。
【００４９】
具体的には、画像処理モードには以下のような種類があるが、これに限ることなく本実施例の原理を適用できる印刷モードであればいずれのものも使用できる。また、以下に述べる各モードと判定方法は一例に過ぎず、どのモードのときに同様な予想値を割り当てる等は、暫時システムに適合させて決定することができる。例えば、色処理モードが「カラーモード」であれば、原則４色使用するため“高載量”（予想）、「モノクロモード」であれば、１色しか使われないので“低載量”（確定）と判定する。また、画像濃度を制御するモードが「通常」あるいは指定無しであれば“高載量”（予想）、「省トナーモード」などのように通常より低い濃度で出力される設定がなされている場合は“低載量”（確定）と判定する。また、印刷データのタイプ指定が「文字モード」であれば、明瞭に印刷するため比較的高濃度で出力されるよう処理がなされるため“高載量”（予想）、「写真モード」であれば、中間調を多用するため“低載量”（予想）とする。これは印刷処理開始時のモード設定でも、後述するページ毎に付加される設定としても使用することができる。このように、一般には印刷モードにより、一応の予想値が予想され、画像データに付加されるが、モードによっては、予想の段階でトナー載量が閾値を超えるか、閾値以下か確定できるものもある。本実施例で言えば、「省トナーモード」や「モノクロモード」は、実際の画像を解析するまでもなく、本実施例で設定した閾値１６０％以下となり、低載量となることが明らかなため、この時点で“低載量”（確定）とする。
【００５０】
図１３は、図１２のＳ１００１の詳細を示し、本実施例におけるトナー載量予想部３１１，３１２の処理例を詳細に示すフローチャートである。図１３のＳ１１０１で受信した入力データに対し、Ｓ１１０２で画像処理モードの設定値を取得する。Ｓ１１０３で画像処理モードの中の色処理モードとして「モノクロモード」が設定されているか否かを判定し、設定されていればＳ１１０５でトナー載量予想情報（ＤＥ）を“低載量”（確定）とする。設定されていない場合は、Ｓ１１０４で濃度調整モードとして「省トナーモード」が設定されているか否かを判定し、されていれば同じくＳ１１０５でトナー載量予想情報（ＤＥ）を“低載量”（確定）とする。設定されていない場合は、更にＳ１１０６で印刷データのタイプ指定モードとして「写真モード」が設定されているか否かを判定し、設定されていれば、Ｓ１１０７でトナー載量予想情報（ＤＥ）を“低載量”（予想）とする。これらの条件に合致しない場合はＳ１１０８でトナー載量予想情報（ＤＥ）を“高載量”（予想）とする。メインフローに戻り、Ｓ１００２で決定した予想値ＤＥからこの入力データの予定定着温度ＴＥを決定する。
【００５１】
図１４および図１５は、図１２のＳ１００２の予定定着温度決定処理の一例を詳細に示すフローチャートである。図１４は定着温度切り替えが高温か低温の２段階の場合であり、Ｓ１２０１で決定したトナー載量予想情報（ＤＥ）が“低載量”であればＳ１２０２で予定定着温度（ＴＥ）を“低温”に、“高載量”であれば同じくＳ１２０３で“高温”に設定する。また、図１５では複数レベルの温調制御が可能な場合であり、３段階を例として説明する。まずＳ１２０４では、記憶部３０８などに予め記憶している図示しないトナー載量と定着温度の対応テーブルを取得し、Ｓ１２０６でトナー載量予想情報（ＤＥ）の値を判定する。トナー載量予想情報（ＤＥ）が“レベル１”であれば、Ｓ１２０７で予定定着温度（ＴＥ）を取得した対応テーブルから得られる対応温度“温度１”に設定する。“レベル１”でなかった場合は、Ｓ１２０８で“レベル２”であるか否かを判定し、そうであればＳ１２０９で同じく“温度２”を設定する。いすれも否であれば、Ｓ１２１０で“温度３”に設定する。また、ルックアップテーブルを用いることもできる。
【００５２】
なお、トナー載量情報から定着温度を決定するタイミングは、トナー載量の確定情報取得時に行ってもよい。次に図１２のＳ１００３を示す、決定した予定定着温度（ＴＥ）を保持する手法を図１６を参照して説明する。決定した定着温度情報は、Ｓ１３０１において各ページデータにページ属性として埋め込むことで保持する。上記の処理により、トナー載量予想値から決定した予定定着温度（ＴＥ）を保持した状態で各ページはデータ処理部３０４で処理され、画像形成部３０５でデータを展開し、ラスタライズ画像を生成して、メインフローのＳ１００４に移行する。ここで図４に示すトナー載量確定部３１３を起動し、ラスタライズ画像を解析してトナー載量を確定し、確定温度の決定を行う（確定温度決定処理）。
【００５３】
次に、図１２のＳ１００４のトナー載り量の確定処理の詳細について、図１７を用いて説明する。図１７は、トナー載量確定処理を詳細に示すフローチャートである。Ｓ１４０１でラスタライズ画像を取得し、Ｓ１４０２で１画素毎にその画素値からトナー載量を算出する。全画素解析後にＳ１４０３で高載量と判定される画素がページ内に存在するか否かを判定し、１つでも存在した場合はＳ１４０６でトナー載量ＤＦを“高載量”とし、存在しない場合はＳ１４０５で同じくＤＦを“低載量”とする。この判定手法は、ここでは１画素単位で判定したが、一定領域内の平均値で判定しても良い。
【００５４】
次にＳ１００５で図４の定着温度確定部３１４を起動し、Ｓ１００３で確定したトナー載り量の確定情報から対象ページの定着温度を確定する。この確定定着温度の決定処理は、Ｓ１００２と同様のフローで可能である。上記で定着対象ページの確定定着温度ＴＦ（１）が決定する。Ｓ１００６で、画像形成装置３０２の現在の定着温度（すなわち、１ページ前の確定定着温度）ＴＦ（０）と、決定した確定定着温度ＴＦ（１）（Ｎページ目の（Ｎは自然数）のトナー載り量から求めたＮページ目の定着温度）とを比較する。比較した結果、同じ温度である場合は温度を変更する制御を行う必要がないので、そのまま終了する。温度に差がある場合は、Ｓ１００７で比較し、現時点の定着温度ＴＦ（０）より次の確定定着温度ＴＦ（１）が高い場合は、そのまま昇温制御を実行する。
【００５５】
現時点の定着温度ＴＦ（０）より次の確定定着温度ＴＦ（１）が低い場合は、Ｓ１０１０で記憶部３０８に保持される先読ページ数Ｎを取得する。そして、Ｓ１００９で先読ページ数Ｎ分のページについて予定定着温度情報（印刷ジョブに設定された印刷モードに対応する（Ｎ＋１）ページ目以降の定着温度）を取得する。Ｓ１０１１で、取得した各予定定着温度と現在の定着温度を比較し、１つでも“高温（確定）”のページがある場合は、降温制御を行わず現在の温度（高温）を維持する。確定した“高温”のページがない場合は、Ｓ１０１２で（Ｎ＋１）ページ目以降のぺ−ジの定着のために降温制御を開始する。上記処理フローにより、図１０および図１１で説明した温度制御を実行することが可能となる。
【００５６】
これにより、本実施例では、記憶部３０８に保持されている定着制御前のページの予定定着温度と現在定着しているページの確定定着温度と、各ページのトナー載り量を用いて定着温度制御を行う。これにより、定着制御前のページに対して前もって定着温度を下げておくことができ、かつ、各ページのトナー載り量に対応する定着温度により定着を制御することができる。
【００５７】
従来技術で説明した図９（a）の予想情報のみで判定する場合は、各ページのトナー載り量を判定しておらず、低載り量と予想したページが実際高載り量だった場合、定着温度が低温状態のためトナーが定着できない可能性がある。また、図９（ｂ）の確定情報のみで判定する場合、定着の直前にしか載り量を判定することができず、定着制御前の先のページの載り量を事前に判定することができない。よって、載り量に応じた定着温度により頻繁に切り替えが発生してしまう。
【００５８】
［第２実施例］
以下、図１８を参照して、本発明の第２実施例を詳細に説明する。本実施例では、トナー載量の予想を２種類の手法を併用して予想精度を上げるものである。データ入力部３０３で受け取る印刷データが複数ページからなるジョブの場合、通常はＳ１００１の判定で用いる画像処理モードの設定値はジョブ全体に適用される。例えば、ここで色処理モードが「カラーモード」であれば、ジョブ内の全ページを“高載量”（予想）、「モノクロモード」であれば（１色しか使われないので）“低載量”（確定）とする。画像濃度を制御するモードや印刷データのタイプ指定モードも同様である。
【００５９】
しかし、ジョブに含まれる画像の中には色処理モードがカラーであっても単色しか含まないものや、ページ毎に設定されている画像処理命令により、印刷処理実行時の設定値と異なる動作をする可能性がある。このような場合にも予測精度を上げるために、以下のような処理を行う。Ｓ１００１で、ジョブ全体（ページ共通）のトナー載量予想部（１）３１１を実行しＤＥ１を決定する。この時Ｓ１５０１で、ＤＥ１が確定された値であるか否かを判定する。モノクロモードのように既に予想の段階で確定されていれば、これ以上の判定は不要のためＳ１５０２でＤＥにＤＥ１を設定する。確定されておらず予想された値の場合は、Ｓ１５０３でトナー載量予想部（２）３１２を起動し、ページ毎に画像処理情報を解析する。例えば、ページのヘッダファイルにそのページのカラーモード命令が含まれている場合、これを参照してページがカラーモードかモノクロモードかを判定する。その他画像濃度を制御するモードや印刷データのタイプ指定モードも同様である。具体的には、色処理設定値、原稿タイプ設定値または濃度調整設定値が含まれる。
【００６０】
次にＳ１５０４で、決定したトナー載量予想情報２（ＤＥ２）が確定された値であるか否かを判定し、確定されていればＳ１５０５でＤＥにＤＥ２を設定する。ＤＥ１とＤＥ２のいずれも確定された値ではない場合、Ｓ１００４のトナー載量確定ステップに処理を移行する。これにより、印刷ジョブ全体に設定された印刷モードによるトナー載量予想の結果と、ページ単位の予想の結果とが異なるときも、より精度の高いトナー載量予想を行うことが可能となる。
【００６１】
［その他の実施例］
また、本発明は、以下の処理を実行することによっても実現される。すなわち、上述した実施例の機能を実現するソフトウェア（プログラム）を、ネットワーク又は各種記憶媒体を介してシステム又は装置に供給し、そのシステム又は装置のコンピュータ（またはＣＰＵやＭＰＵ等）がプログラムを読み出して実行する処理である。また、本発明は、複数のプロセッサが連携して処理を行うことによっても実現できるものである。
【図１】
2014056036.tif 000003
【図２】
2014056036.tif 000004
【図３】
2014056036.tif 000005
【図４】
2014056036.tif 000006
【図５】
2014056036.tif 000007
【図６】
2014056036.tif 000008
【図７】
2014056036.tif 000009
【図８】
2014056036.tif 000010
【図９】
2014056036.tif 000011
【図１０】
2014056036.tif 000012
【図１１】
2014056036.tif 000013
【図１２】
2014056036.tif 000014
【図１３】
2014056036.tif 000015
【図１４】
2014056036.tif 000016
【図１５】
2014056036.tif 000017
【図１６】
2014056036.tif 000018
【図１７】
2014056036.tif 000019
【図１８】
2014056036.tif 000020